(57)【要約】【課題】複製が制限されている録画したコンテンツに対して複数種類の編集を行うことが出来るようにすること。【解決手段】映像データおよび音声データを含むストリーム・データ３０１と前記ストリーム・データの再生を行なうためのナビゲーションとして機能する管理情報データ３０２とが格納された光ディスク３００に記録されているデータを読み出すための光ディスクドライブ１１２と、光ディスドライブ１１２に格納されているストリーム・データの再生を行なうためのナビゲーションとして機能する管理情報データ５０１〜５０５が格納されるハードディスクドライブ１１１と、管理情報データ５０１〜５０５、または管理情報データ３０２に基づいてストリーム・データ３０１を再生するための再生部４０３とを具備する。【選択図】      図６
2009093772.tif 000002
【特許請求の範囲】
【請求項１】
映像データおよび音声データを含むストリーム・データと前記ストリーム・データの再生を行なうためのナビゲーションとして機能する管理情報データとが格納された光ディスクに記録されているデータを読み出すための光ディスク装置と、
前記光ディスクに格納されているストリーム・データの再生を行なうためのナビゲーションとして機能する管理情報データが一つ以上格納される記憶装置と、
前記記憶装置に格納されている管理情報データ、または前記光ディスク装置に格納されている管理情報データに基づいて前記ストリーム・データを再生するための再生手段とを具備することを特徴とする情報処理装置。
【請求項２】
前記光ディスク装置に装填されている光ディスクに格納されている前記ストリーム・データの再生手順をユーザが設定するための設定手段と、
前記ユーザが前記設定手段を用いて設定した再生手順に応じて管理情報データを生成する手段と、
前記生成された管理情報データを前記記憶装置に格納する手段とを更に具備することを特徴とする請求項１記載の情報処理装置。
【請求項３】
前記光ディスク装置に装填されている光ディスクに格納されている管理情報データと、前記記憶装置に格納されている、前記光ディスク装置に装填されている光ディスクに格納されているストリーム・データを再生するための管理情報データとのリストを表示する表示手段を更に具備し、
前記再生手段は、前記リストからユーザが選択した管理情報データに基づいて前記ストリーム・データの再生処理を行うことを特徴とする請求項１または２のいずれか１項に記載の情報処理装置。
【請求項４】
前記記憶装置に格納されている管理情報ファイルに対して、対応する光ディスクの識別情報が記録されている光ディスク情報が格納される第２記憶装置を更に具備し、
前記表示手段は、前記光ディスク装置に光ディスクが装填された場合、装填された光ディスクに付与されている識別情報を検出し、前記光ディスク情報から検出した識別情報に対応する管理情報ファイルを検索し、検索された管理情報ファイルを前記リスト内に表示することを特徴とする請求項３記載の情報処理装置。
【請求項５】
情報処理装置に設けられた光ディスク装置に装填されている光ディスク内に格納されている映像データおよび音声データを含むストリーム・データに対してユーザが設定した再生手順に応じて、前記ストリーム・データの再生を行なうためのナビゲーションとして機能する管理情報データを生成し、
生成された管理情報ファイルを前記情報処理装置に設けられた記憶装置に格納する、
ことを特徴とする情報処理装置の制御方法。
【請求項６】
前記記憶装置に格納されている管理情報データ、または前記光ディスク装置に格納されている管理情報データに基づいて前記ストリーム・データを再生することを特徴とする請求項５記載の情報処理装置の制御方法。
【請求項７】
前記光ディスク装置に装填されている光ディスクに格納されている管理情報データと、前記記憶装置に格納されている、前記光ディスク装置に装填されている光ディスクに格納されているストリーム・データを再生するための管理情報データとのリストを表示し、
前記リストからユーザが選択した管理情報データに基づいて前記ストリーム・データの再生処理を行うことを特徴とする請求項６に記載の情報処理装置。
【請求項８】
前記情報処理装置は、前記記憶装置に格納されている管理情報ファイルに対して、対応する光ディスクの識別情報が記録されている光ディスク情報が格納される第２記憶装置を有し、
前記光ディスク装置に光ディスクが装填された場合、装填された光ディスクに付与されている識別情報を検出し、前記光ディスク情報から検出した識別情報に対応する管理情報ファイルを検索し、検索された管理情報ファイルを前記リスト内に表示することを特徴とする請求項７記載の情報処理装置の制御方法。
【発明の詳細な説明】
【技術分野】
【０００１】
本発明は、光ディスクに格納されているストリーム・データを再生するための情報処理装置および情報処理装置の制御方法に関する。
【背景技術】
【０００２】
近年、地上デジタル放送やＢＳデジタル放送等の番組を録画した場合など、著作権上の問題で複製が不可能なコンテンツが増えている。このようなコンテンツにおいて特定の部分を選んで削除するなどの編集を行う場合、複製が出来ないため、複数種類の編集を行うことは出来ない。また、誤って必要な部分を削除してしまった場合、削除したデータを復活させることが出来ないため、録画したコンテンツを直接編集することは難しい。
【０００３】
特許文献１には、記録媒体上に記録されたデータ（ビデオデータ）を非破壊編集する技術が開示されている。
【特許文献１】特開２００３−１６８２８３号公報
【発明の開示】
【発明が解決しようとする課題】
【０００４】
上述したように、著作権の都合上、録画したコンテンツに対して複数種類の編集を行うことが出来ないという問題があった
本発明の目的は、複製が制限されている録画したコンテンツに対して複数種類の編集を行うことが可能な情報処理装置、および情報処理装置の制御方法を提供することにある。
【課題を解決するための手段】
【０００５】
本発明の一例に係わる情報処理装置は、映像データおよび音声データを含むストリーム・データと前記ストリーム・データの再生を行なうためのナビゲーションとして機能する管理情報データとが格納された光ディスクに記録されているデータを読み出すための光ディスク装置と、前記光ディスクに格納されているストリーム・データの再生を行なうためのナビゲーションとして機能する管理情報データが一つ以上格納される記憶装置と、前記記憶装置に格納されている管理情報データ、または前記光ディスク装置に格納されている管理情報データに基づいて前記ストリーム・データを再生するための再生手段とを具備することを特徴とする。
【発明の効果】
【０００６】
本発明によれば、複製が制限されている録画したコンテンツに対して複数種類の編集を行うことが可能になる。
【発明を実施するための最良の形態】
【０００７】
本発明の実施の形態を以下に図面を参照して説明する。
【０００８】
まず、図１および図２を参照して、本発明の一実施形態に係る電子機器の構成を説明する。本実施形態の電子機器は、例えば、情報処理装置として機能するノートブック型の携帯型パーソナルコンピュータ１０から実現されている。
【０００９】
このパーソナルコンピュータ１０は、放送番組データ、外部機器から入力されるビデオデータといった、映像コンテンツデータ（オーディオビジュアルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能も有している。
【００１０】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１１】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１２】
入力操作パネル１５は、押されたボタンに対応するイベントを入力する入力装置であり、複数の機能をそれぞれ起動するための複数のボタンを備えている。これらボタン群には、ＴＶ機能（視聴、録画、録画された放送番組データ／ビデオデータの再生）を制御するための操作ボタン群も含まれている。また、コンピュータ本体１１の正面には、本コンピュータ１０のＴＶ機能をリモート制御するリモコンユニットとの通信を実行するためのリモコンユニットインタフェース部２０が設けられている。リモコンユニットインタフェース部２０は、赤外線信号受信部などから構成されている。
【００１３】
コンピュータ本体１１の例えば右側面には、ＴＶ放送用のアンテナ端子１９が設けられている。また、コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）を外部ディスプレイに出力するために用いられる。
【００１４】
次に、図２を参照して、本コンピュータ１０のシステム構成について説明する。
【００１５】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、光ディスクドライブ（ＯＯＤ）１１２、無線ＬＡＮコントローラ１１４、IEEE 1394コントローラ１１５、エンベデッドコントローラ／キーボードコントローラＩＣ（ＥＣ／ＫＢＣ）１１６、およびＴＶチューナ１１７等を備えている。
【００１６】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびDVD-VR/HD DVD-VR再生アプリケーションプログラム２０２のような各種アプリケーションプログラムを実行する。DVD-VR/HD DVD-VR再生アプリケーションプログラム２０２はＴＶ機能を実行するためのソフトウェアである。このDVD-VR/HD DVD-VR再生アプリケーションプログラム２０２は、ＴＶチューナ１１７によって受信された放送番組データを視聴するためのライブ再生処理、受信された放送番組データをＨＤＤ１１１に記録する録画処理、およびＨＤＤ１１１に記録された放送番組データ／ビデオデータを再生する再生処理、ＨＤＤ１１１に記録された放送番組データ／ビデオデータを光ディスクドライブ１１２に装填された光ディスク（ＤＶＤ、ＨＤ  ＤＶＤ）に記録する記録処理、光ディスクに記録されたコンテンツの再生処理等を実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００１７】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００１８】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ装置１にデジタル映像信号を送出することもできる。
【００１９】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのような外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２０】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１および光ディスクドライブ（ＯＤＤ）１１２を制御するためのＩＤＥ（Integrated Drive Electronics）コントローラを内蔵している。さらに、サウスブリッジ１０４は、サウンドコントローラ１０６との通信を実行する機能も有している。
【００２１】
サウンドコントローラ１０６は音源デバイスであり、再生対象のオーディオデータをスピーカ１８Ａ，１８ＢまたはＨＤＭＩ制御回路３に出力する。
【００２２】
無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。
【００２３】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００２４】
ＴＶチューナ１１７はテレビジョン（ＴＶ）放送信号によって放送される放送番組データを受信する受信装置であり、アンテナ端子１９に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力されるビデオデータをキャプチャする機能も有している。
【００２５】
この情報処理装置は、ＨＤＤ１１１に記録された放送番組データ／ビデオデータを光ディスクドライブ１１２に装填された光ディスクに記録する記録処理を実行する際、ＤＶＤ−ＶＲフォーマット、またはＨＤ  ＤＶＤ−ＶＲフォーマットで光ディスクに記録することができる。
【００２６】
図３は、映像と音声、字幕データからなるコンテンツを、ＨＤ  ＤＶＤ−ＶＲ／ＤＶＤ−ＶＲフォーマットで記録した光ディスク（ＨＤ  ＤＶＤ−Ｒ／−ＲＷ，ＤＶＤ−ＲＡＭ／−ＲＷ／−Ｒ）の構成の概略を示す図である。図３に示すように、光ディスク３００には、映像データと音声データなどを含むストリーム・データ３０１と、そのストリームに関する情報を記録した管理情報ファイル３０２で構成される。
【００２７】
図４を参照してＤＶＤ−ＶＲ規格の論理構造について説明する。
【００２８】
図４において、まず、ストリーム・データ３０１であるビデオオブジェクトＶＯＢについて説明する。このＶＯＢは、ディレクトリではＶＲ＿ＭＯＶＩＥ．ＶＲＯファイルと称される。ビデオファイルは階層構造となっており、１つのファイルは１つまたは複数のＶＯＢで構成され、１つのＶＯＢは１つまたは複数のビデオオブジェクトユニットＶＯＢＵで構成され、１つのＶＯＢＵは複数のパックから構成される。複数のパックとしては、ＲＤＩパック、Ｖ（ビデオ）パック、Ａ（オーディオ）パック、ＳＰ（副映像）パック等が存在する。ＲＤＩパックは、ユニット制御情報パック、ナビゲーション情報パック、またはリアルタイムデータ情報パックＲＤＩ＿ＰＣＫと称される。このパックは、これが属するＶＯＢＵの最初のフィールドが再生される開始時間を示す情報、当該ＶＯＢＵの記録時を示す情報、製造者情報ＭＮＦＩ等を含んでいる。また、ディスプレイ制御情報ＤＣＩ及びコピーコントロール情報ＣＣＩを含んでいる。ディスプレイ制御情報は、アスペクト比情報、サブタイトルモード情報、フィルムカメラモード情報を示している。コピーコントロール情報は、コピー許可情報またはコピー禁止（非許可）情報を含んでいる。Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭ、ＭＰＥＧまたはＡＣ−３等の方式で処理されたもので、パックヘッダ、パケットヘッダ、オーディオデータ部で構成される。
【００２９】
管理情報ファイルは、再生装置が情報の記録再生を行なうためのナビゲーション（コントロール）として機能するものである。管理情報ファイルはビデオマネージャＶＭＧと称され、その中にデータ再生順序を管理するプログラムチェーンＰＧＣが定義されている。このプログラムチェーンＰＧＣには、セル（Cell）が定義されている。セル（Cell）は、再生すべき対象となるビデオオブジェクトＶＯＢに関する情報であるビデオオブジェクト情報ＶＯＢＩとリンクしている。管理情報ファイル、VR_MANGR.IFOというIFOファイルに保存する。
【００３０】
ＰＧＣの具体的情報を記録している部分がプログラムチェーン情報ＰＧＣＩである。ＰＧＣＩには２種類が存在し、１つはオリジナルＰＧＣＩ（ＯＲＧ＿ＰＧＣＩ）で、もう１つはユーザデファインドプログラムチェーン情報（ＵＤ＿ＰＧＣＩ）である。通常、記録時にはオリジナルＰＧＣＩが作成される。ユーザデファインドＰＧＣＩは、それ自身のビデオオブジェクトを持たず、図４に示すように、オリジナルＰＧＣのビデオオブジェクト情報ＶＯＢＩに対してリンクしているユーザデファインドセルＵＤ＿Ｃｅｌｌを編集（削除、追加）することでプレイリストとして作成される。
【００３１】
ＶＯＢＩ内にはタイムマップＴＭＡＰが記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００３２】
先に述べたように、プログラムチェーン情報には、オリジナルプログラムチェーン情報ＯＲＧ＿ＰＧＣＩとユーザデファインドプログラムチェーン情報テーブルＵＤ＿ＰＧＣＩＴとの２つのタイプがある。ＯＲＧ＿ＰＧＣＩは、データ記録再生装置により、オリジナルプログラムが記録されるときに自動的に作成される管理情報であり、１ディスクに１種類が存在する。これに対し、ＵＤ＿ＰＧＣＩは、記録された複数のオリジナルプログラムの中の一部をユーザが任意に指定し、その再生順序を設定することにより作成されたプレイリストとしての管理情報である。このため、ＵＤ＿ＰＧＣＩは、複数個を設定することができる。
【００３３】
オリジナルプログラムチェーン情報ＯＲＧ＿ＰＧＣＩは、プログラムチェーン一般情報ＰＧＣ＿ＧＩと、プログラム情報ＰＧＩと、セル情報サーチポインタＣＩ＿ＳＲＰと、セル情報ＣＩとを含んでいる。
【００３４】
ＰＧＣ＿ＧＩには、プログラムチェーンにより再生されるプログラムがいくつ存在するかを示すプログラム数ＰＧ＿Ｎｓ、セルサーチポインタがいくつ存在するかを示すセルサーチポインタ数ＣＩ＿ＳＲＰ＿Ｎｓが記述されている。
【００３５】
プログラム情報ＰＧＩには、プログラムタイプＰＧ＿ＴＹと、このプログラムのセル数Ｃ＿Ｎｓと、このプログラムの代表画像情報ＲＥＰ＿ＰＩＣＴＩとが含まれる。代表画像情報ＲＥＰ＿ＰＩＣＴＩは、代表画像のセル番号、及びこのセルの中のピクチャポイントを記述している。
【００３６】
セルサーチポインタＣＩ＿ＳＲＰは、対応するセル情報ＣＩの記述アドレスを示している。セル情報には、ムービーセル一般情報Ｍ＿Ｃ＿ＧＩと、ムービーセルエントリーポイント情報Ｍ＿Ｃ＿ＥＰＩとが含まれる。ムービーセル一般情報Ｍ＿Ｃ＿ＧＩには、ムービーであるかスチルであるかを示すセルタイプＣ＿ＴＹと、このセルで特定されるＶＯＢを指し示すためのＭ＿ＶＯＢＩ＿ＳＲＰＮと、セルエントリーポイントがいくつあるかを示すセルエントリーポイント情報数Ｃ＿ＥＰＩ＿Ｎｓとが記述されている。また、このセルに対応したビデオのスタートする時間を示すＣ＿Ｖ＿Ｓ＿ＰＴＭと、終了時間を示すＣ＿Ｖ＿Ｅ＿ＰＴＭとも記述される。また、上記ムービーセルエントリーポイント情報Ｍ＿Ｃ＿ＥＰＩとしては、エントリーポイントのタイプＥＰ＿ＴＹと、エントリーポイントのプレゼンテーションタイムＥＰ＿ＰＴＭとが記述されている。
【００３７】
ユーザデファインドプログラムチェーン情報テーブルＵＤ＿ＰＧＣＩＴには、ユーザデファインドプログラムチェーン情報テーブル情報ＵＤ＿ＰＧＣＩＴＩと、ユーザデファインドプログラムチェーン情報サーチポインタＵＤ＿ＰＧＣＩ＿ＳＲＰと、ユーザデファインドプログラムチェーン情報ＵＤ＿ＰＧＣＩとが含まれる。ＵＤ＿ＰＧＣＩＴＩには、ユーザデファインドプログラムチェーン情報サーチポインタがいくつ存在するかを示すサーチポインタ数（図４には図示されていないが、ＵＤ＿ＰＧＣＩ＿ＳＲＰ＿Ｎｓと略記される）が記述されている。
【００３８】
ユーザデファインドプログラムチェーン情報サーチポインタＵＤ＿ＰＧＣＩ＿ＳＲＰは、対応するユーザデファインドプログラムチェーン情報ＵＤ＿ＰＧＣＩの記述アドレスを示している。
【００３９】
なお、管理情報であるビデオマネージャＶＭＧの中では、プログラムチェーン情報とは別の場所にプレイリスト情報が記述されている。この１つ１つのプレイリスト情報の中で、当該プレイリストとリンクしているユーザデファインドプログラムチェーン情報サーチポインタＵＤ＿ＰＧＣＩ＿ＳＲＰの番号ＰＧＣＮが記述されている。このため、プログラムチェーン情報としては、１つ１つのＵＤ＿ＰＧＣＩがプレイリストに対応している。このユーザデファインドプログラムチェーン情報ＵＤ＿ＰＧＣＩのフォーマットは、オリジナルプログラムチェーン情報ＯＲＧ＿ＰＧＣＩとほぼ同様である。ただし、ＵＤ＿ＰＧＣＩは、オリジナルプログラムの任意の一部分を組み合わせて構成されるため、ＵＤ＿ＰＧＣＩには先に述べたプログラム情報ＰＧＩは存在しない。このため、先に述べた、プログラムチェーン情報とは別の場所に記述されているプレイリスト情報の中に、プレイリストタイプＰＬ＿ＴＹと、プレイリストの代表画像情報ＲＥＰ＿ＰＩＣＴＩとが記述されている。
【００４０】
管理情報ファイルは、ＯＰＧ＿ＰＧＣＩおよびＵＤ＿ＰＧＣＩＴの他に、RTR＿VMGI（リアルタイム・レコーディング用ビデオマネージャー・インフォメーション）、M_AVFIT（ムビー・AVファイルインフォメーションテーブル）等が記述されている。
【００４１】
RTR＿VMGIには、識別情報、ディスク代表画像情報、コピープロテクション情報、各情報のエントリーアドレスなどが記述されている。M_AVFITには、M_AVFITI（ムービー・AVファイル・インフォメーション・テーブル情報、M_VOB_STI（ムービー・ビデオオブジェクト・ストリーム情報）等が記述されている。
【００４２】
ところで、上記のM_VOB_STIは、プログラムを連続して記録される毎に作成される情報であり、その情報の中には、V_ATR（ビデオ属性）、AST_N(オーディオストリーム数)、SPST_N(副映像ストリーム数)、A_ATR０（オーディオストリーム属性）、A_ATR１（オーディオストリーム属性）が含まれる。
【００４３】
ここでビデオ属性には、圧縮モード、TVシステム、ライン２１情報の有無、アスペクト情報、解像度などが存在する。またオーディオ属性には、コーディングモード情報、量子化情報、チャンネル数情報、ビットレート情報が含まれる。
【００４４】
ところで、ＨＤ  ＤＶＤ−ＶＲ形式のフォーマットは、基本的にＤＶＤ−ＶＲ形式をほとんどそのまま継承している。なお、ＤＶＤ−ＶＲ形式では、ＭＰＥＧ２−ＰＳ（プログラムストリーム）の記録に対応していたが、ＭＰＥＧ２−ＴＳ（トランスポートストリーム）の記録に対応していなかった。デジタル放送はＭＰＥＧ２−ＴＳ形式で配信されている。ＨＤ  ＤＶＤ−ＶＲ形式では、配信された形式のままで光ディスクに記録できるように、ＭＰＥＧ２−ＴＳの記録に対応している。ＨＤ  ＤＶＤ−ＶＲには、ＭＰＥＧ２−ＴＳを記録するために、ストリームオブジェクト（ＳＯＢ）が用意されている。
【００４５】
ところで、デジタル放送の番組を録画した場合、著作権上の問題で複製することが不可能なコンテンツが増えている。このようなコンテンツにおいて特定の部分を選んで削除するなどの編集を行う場合、複製が出来ないため、複数種類の編集を行うことは出来ない。また、誤って必要な部分を削除してしまった場合、削除したデータを復活させることが出来ないため、録画したコンテンツを直接編集することは難しい。
【００４６】
本装置では、光ディスクに格納されている管理情報ファイルとは別の管理情報ファイルを記憶装置としてのハードディスクドライブ１１１に格納することによって、録画したストリーム・データそのものを変更する必要がないため、１つのコンテンツを様々な種類に編集することが可能である。
【００４７】
図５を参照して、光ディスクの再生、および編集等を行うDVD-VR/HD DVD-VR再生アプリケーションプログラム２０２の構成について説明する。
【００４８】
DVD-VR/HD DVD-VR再生アプリケーションプログラム２０２は、図５に示すように、光ディスク情報４０１、リスト表示部４０２、再生部４０３、および編集部４０４等を有する。
【００４９】
光ディスク情報４０１は、編集部４０４によってハードディスクドライブ１１１内に管理情報ファイルを作成した光ディスク３００のメディアＩＤと、光ディスクを再生するための管理情報ファイルのファイル名（格納場所）とが管理されている。なお、光ディスク情報４０１は、第２記憶装置としてのハードディスクドライブ１１１内に格納されている。
【００５０】
光ディスクドライブ１１２に光ディスク３００が装填された場合、リスト表示部４０２は、光ディスク３００のメディアＩＤを検出する。そして、リスト表示部４０２は、光ディスク情報４０１から検出したメディアＩＤに対応する管理情報ファイルを検索する。光ディスク情報４０１、光ディスクドライブ１１２に装填された光ディスクを再生するための管理情報ファイルのファイル名（格納場所）を認識する。そして、リスト表示部４０２は、光ディスク３００に格納されている管理情報ファイル、およびハードディスクドライブ１１１内に格納されている管理情報ファイルのリストをＬＣＤ１７に表示する。リスト表示されている管理情報ファイルをユーザが選択することで、選択された管理情報の格納場所の情報と共に再生イベントが再生部４０３に渡される。
【００５１】
再生部４０３は、図６に示すように、ハードディスクドライブ１１１に格納されている管理情報ファイル５０１〜５０５、および光ディスク３００内に格納されている管理情報ファイル３０２の中から、ユーザがリストから選択した管理情報ファイルに基づいてストリーム・データの再生処理を行う。再生部４０３は、再生処理によって生成された映像データをＧＰＵ１０５に送る。ＧＰＵ１０５は、映像データに基づいて表示信号を生成し、表示信号をＬＣＤ１７に送ることによって映像がＬＣＤ１７に表示される。また、再生部４０３は、再生処理によって生成された音声データをサウンドコントローラ１０６に送る。サウンドコントローラ１０６は、音声データに基づいて音声信号を生成し、音声信号をスピーカ１８Ａ，１８Ｂに送ることによって、音声がスピーカ１８Ａ，１８Ｂから出力される。
【００５２】
本実施形態では、録画したストリーム・データそのものを変更する必要がないため、１つのコンテンツを様々な種類に編集することが可能である。また、上記のように地上デジタル放送の番組を録画した場合、誤って必要な部分を削除する編集を行っても、オリジナルのストリーム・データが残っているので、誤って必要な部分を復活させることが可能であるため、安心して編集することが出来る。さらに、通常は編集できない、ＨＤ  ＤＶＤ−Ｒ／ＤＶＤ−Ｒメディア上のコンテンツの編集も可能となる。
【００５３】
編集部４０４は、図７に示すように、再生手順設定部６０１、および管理情報ファイル作成部６０２等を有する。
【００５４】
再生手順設定部６０１は、光ディスク３００内のストリーム・データの再生手順をユーザが設定するための機能を有する。また、再生手順設定部６０１は、エントリーポイントを設定するための機能を有する。
【００５５】
管理情報ファイル作成部６０２は、ユーザが編集した再生手順に基づいて管理情報ファイルを作成し、ハードディスクドライブ１１１に格納する。また、管理情報ファイル作成部は、作成した管理情報ファイルのファイル名（格納場所）と、元のストリーム・データが格納されていた光ディスクのメディアＩＤを光ディスク情報４０１に登録する。
【００５６】
図７に示すように、管理情報ファイル作成部６０２は、生成した管理情報ファイルをハードディスクドライブ１１１上に新たに作成される管理情報ファイル５０６か、ハードディスクドライブ１１１上に既に存在する管理情報ファイル５０１〜５０５に反映するように指定することで、光ディスク３００内の管理情報ファイル３０２およびストリーム・データ３０１は変更されないようになる。
【００５７】
これにより、ストリーム・データ３０１を変更することなく、ハードディスクドライブ１１１内に複数の管理情報ファイルを作成することが可能となる。
【００５８】
次に、図８のフローチャートを参照して、光ディスクドライブ１１２に光ディスク３００が装填されてから再生するまでの処理の手順を説明する。
【００５９】
光ディスクドライブ１１２に光ディスク３００が装填された場合、リスト表示部４０２は、光ディスク３００のメディアＩＤを検出する（ステップＳ１１）。そして、リスト表示部４０２は、光ディスク情報４０１から検出したメディアＩＤに対応する管理情報ファイルを検索する（ステップＳ１２）。リスト表示部４０２は、検索された管理情報ファイルの名称および光ディスク３００内管理情報ファイル３０２のリストをＬＣＤ１７に表示する（ステップＳ１３）。ユーザがリストに表示されている管理情報ファイルを選択すると、リスト表示部４０２は、選択された管理情報ファイルの格納場所の情報と共に再生イベントが再生部４０３に渡す。
【００６０】
再生部４０３は、渡された管理情報ファイルの格納場所に基づいて、管理情報ファイルを読み込む（ステップＳ１４）。そして、再生部４０３は、管理情報ファイルに従ってストリーム・データの再生処理を実行する（ステップＳ１５）。
【００６１】
以上の処理で複数種類の管理情報ファイルの中からユーザが選択した管理情報ファイルに従って再生処理が行われる。
【００６２】
なお、管理情報ファイルをハードディスクドライブ１１１に格納することの利点を以下に説明する。
【００６３】
プレイリストによっても再生手順を変更することが出来る。プレイリストの中には、エントリーポイントの情報を含まないので、再生順序の変更等しか行えない。エントリーポイントの情報は、管理情報ファイル内のオリジナルプログラムチェーン情報ＯＲＧ＿ＰＧＣＩに含まれている。従って、管理情報ファイルをハードディスクドライブ１１１内に格納できるようにすることで、ユーザは再生手順設定部６０１を用いて、光ディスク内の管理情報ファイル内に記述されているエントリーポイントの場所を変更することができる。
【００６４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６５】
【図１】本発明の一実施形態に係わる情報処理装置の構成を示す斜視図。
【図２】図１に示す情報処理装置のシステム構成を示すブロック図。
【図３】光ディスク内に格納されるデータの種類を示す図。
【図４】ＤＶＤ−ＶＲ規格の論理構造を示す図。
【図５】DVD-VR/HD DVD-VR再生アプリケーションプログラムの構成を示すブロック図。
【図６】図５に示す再生部の処理を説明するための図。
【図７】図５に示す編集部の処理を説明するための図。
【図８】光ディスクドライブに光ディスクが装填された場合の再生処理の手順を示す図。
【符号の説明】
【００６６】
４０１…光ディスク情報，４０２…リスト表示部，４０３…再生部，４０４…編集部，６０１…再生手順設定部，６０２…管理情報ファイル作成部。
【図１】
2009093772.tif 000003
【図２】
2009093772.tif 000004
【図３】
2009093772.tif 000005
【図４】
2009093772.tif 000006
【図５】
2009093772.tif 000007
【図６】
2009093772.tif 000008
【図７】
2009093772.tif 000009
【図８】
2009093772.tif 000010